(57)【特許請求の範囲】
【請求項１】
旋回渦巻片を有し、旋回軸が重力方向と交差する横向きに配置される旋回スクロールと、
吐出室側と吸入室側とを仕切る隔壁に設けられ、前記旋回渦巻片に対し１８０°点対称となって嵌り合う固定渦巻片を有し、前記固定渦巻片の外周の巻終端が、前記固定渦巻片の捲回中心よりも上側となる範囲に配置される固定スクロールと、
前記固定渦巻片の中央側の巻始端に囲われる位置に配置されて前記吐出室に前記隔壁を貫通して連通する吐出ポートと、
前記旋回渦巻片の内周面と前記固定渦巻片の外周面との接点が前記旋回スクロールの旋回にともなって中心方向に移行して最後に離れる位置から前記固定渦巻片に沿って一巻までの範囲に配置されて前記旋回渦巻片の内周面と前記固定渦巻片の外周面との間に形成される圧縮室を前記吐出室に前記隔壁を貫通して連通するリリーフポートと、
前記吐出室側から前記吐出ポートに入る流れを阻止する吐出弁と、
前記吐出室側から前記リリーフポートに入る流れを阻止するリリーフ弁と、を備え、
前記旋回渦巻片の重力方向における最も下側の部位は、前記固定渦巻片の重力方向における最も下側の部位よりも下側に位置し、
前記リリーフポートは、前記旋回渦巻片の内周面と前記固定渦巻片の外周面との間に形成される前記圧縮室に対応する前記隔壁にのみ設けられていることを特徴とする横置きスクロール型圧縮機。
【請求項２】
前記リリーフポートは、
前記旋回スクロールの回転位置が、前記旋回渦巻片の内周面と前記固定渦巻片の外周面との間に形成される圧縮室と前記吐出ポートとを連通させる直前の状態で、前記圧縮室における前記吐出ポートから遠い側の端部と前記吐出室側とを連通させる位置に設けられていることを特徴とする請求項１に記載の横置きスクロール型圧縮機。
【請求項３】
旋回渦巻片を有し、旋回軸が重力方向に交差する横向きに配置される旋回スクロールと、
吐出室側と吸入室側とを仕切る隔壁に設けられ、前記旋回渦巻片に対し１８０°点対称となって嵌り合う固定渦巻片を有し、前記固定渦巻片の外周の巻終端が前記固定渦巻片の捲回中心よりも下側となる範囲に配置される固定スクロールと、
前記固定渦巻片の中央側の巻始端に囲われる位置に配置されて前記吐出室に前記隔壁を貫通して連通する吐出ポートと、
前記旋回渦巻片の外周面と前記固定渦巻片の内周面との間に形成される圧縮室を前記吐出ポートに連通させる直前の状態となる前記旋回スクロールの旋回位置で前記旋回渦巻片の中央側の巻始端と前記固定渦巻片の内周面との接点から前記固定渦巻片に沿って一巻までの範囲に配置されて前記旋回渦巻片の外周面と前記固定渦巻片の内周面との間に形成される圧縮室を前記吐出室に前記隔壁を貫通して連通するリリーフポートと、
前記吐出室側から前記吐出ポートに入る流れを阻止する吐出弁と、
前記吐出室側から前記リリーフポートに入る流れを阻止するリリーフ弁と、を備え、
前記固定渦巻片の重力方向における最も下側の部位は、前記旋回渦巻片の重力方向における最も下側の部位よりも下側に位置し、
前記リリーフポートは、前記旋回渦巻片の外周面と前記固定渦巻片の内周面との間に形成される前記圧縮室に対応する前記隔壁にのみ設けられていることを特徴とする横置きスクロール型圧縮機。
【請求項４】
前記リリーフポートは、前記隔壁に１箇所のみ設けられていることを特徴とする請求項１から請求項３のいずれか１項に記載の横置きスクロール型圧縮機。
【請求項５】
前記吐出弁と前記リリーフ弁とは、リード部材及びリテーナがそれぞれ一体に形成されていることを特徴とする請求項１から請求項４のいずれか１項に記載の横置きスクロール型圧縮機。
【請求項６】
前記リード部材及びリテーナは、前記吐出ポートと前記リリーフポートとを横切る直線上で前記リリーフポート側の一端が前記隔壁に固定支持されていることを特徴とする請求項５に記載の横置きスクロール型圧縮機。
【請求項７】
前記リード部材は、前記隔壁に固定された固定端から前記リリーフポートに至る前記リリーフリードの長さが、前記固定端から前記吐出ポートに至る前記吐出リードの長さに比して、短く形成されていることを特徴とする請求項６に記載の横置きスクロール型圧縮機。
【請求項８】
前記リード部材は、前記リード部材の自由端側を前記吐出リードとし、前記リード部材の中央部を前記リリーフリードとし、前記吐出リードと前記リリーフリードとを個別に独立して動作可能に構成されていることを特徴とする請求項７に記載の横置きスクロール型圧縮機。
【発明の詳細な説明】
【技術分野】
【０００１】
本発明は、旋回スクロールと固定スクロールとの間に作られる圧縮室内に入った液状冷媒を逃すリリーフポートを備える横置きスクロール型圧縮機に関する。
【背景技術】
【０００２】
回転軸が水平に配置されたスクロール型圧縮機を作動させない状態で長期間放置すると、圧縮機内の作動流体である冷媒やミスト状の潤滑油が液化し、スクロールの間に形成される圧縮室内に滞留する、いわゆる「寝込み現象」が生じる。この状態で、スクロール型圧縮機を始動させると、液状の冷媒および潤滑油を含む二相混相の作動流体を圧縮しようとするため、振動や騒音が発生する。また、圧縮途中で気相を圧縮しきってしまった場合、圧縮室内の圧力が急上昇するため、圧縮室を構成する渦巻片を破損する恐れがある。
【０００３】
したがって、この「寝込み現象」によって滞留した液状の冷媒および潤滑油を圧縮途中で逃すリリーフ弁（リリーフポート）を設けたスクロール型圧縮機がある（例えば、特許文献１参照。）。このスクロール型圧縮機では、旋回スクロールの回転位置に影響を受けることのないように、リリーフ弁は、固定スクロールの複数箇所に均等に分散させて配置している。
【特許文献１】特願平１１−３０３７７７号公報
【発明の開示】
【発明が解決しようとする課題】
【０００４】
しかし、リリーフ弁を複数箇所に設けるということは、リリーフ弁の孔を加工するとともにリリーフ弁を開閉するリード部材を各リリーフ弁に対応させて取付ける必要がある。そのため、部品点数および工数の増加を余儀なくされている。部品点数を少なくするために、一体に設けることも容易に考えられる。しかし、固定スクロールの複数箇所に分散させてリリーフバルブが配置されているため、全てのリリーフ弁を一体化するには、広い範囲にわたって一続きのリード部材を設ける必要がある。したがって、部品点数が減ったとしても、リード部材の加工費が増加するだけでなく、材料の歩留まりが低下する。
【０００５】
そこで、本発明は、複数形成される圧縮室に滞留する液化した冷媒および潤滑油の排出を１つのリリーフポートで対応する横置きスクロール型圧縮機を提供することを目的とする。
【課題を解決するための手段】
【０００６】
本発明に係る横置きスクロール型圧縮機は、旋回スクロールと固定スクロールと吐出ポートとリリーフポートと吐出弁とリリーフ弁とを備える。旋回スクロールは、旋回渦巻片を有して旋回軸が重力方向と交差する横向きに配置される。固定スクロールは、吐出室側と吸入室側とを仕切る隔壁に旋回渦巻片と嵌り合う固定渦巻片を有してこの固定渦巻片の外周の巻終端が固定渦巻片の捲回中心よりも上側となる範囲に配置される。吐出ポートは、固定渦巻片の中央側の巻始端に囲われる位置に配置されて吐出室に隔壁を貫通して連通する。リリーフポートは、旋回渦巻片の内周面と固定渦巻片の外周面との接点が旋回スクロールの旋回にともなって中心方向に移行して最後に離れる位置から固定渦巻片に沿って一巻までの範囲に配置されて旋回渦巻片の内周面と固定渦巻片の外周面との間に形成される圧縮室を吐出室に隔壁を貫通して連通する。吐出弁は、吐出室側から吐出ポートに入る流れを阻止する。リリーフ弁は、吐出室側からリリーフポートに入る流れを阻止する。
【０００７】
また、吸入室側に滞留する液状の冷媒の量が増えても対応できるように、リリーフポートは、旋回スクロールの回転位置が、旋回渦巻片の内周面と固定渦巻片の外周面との間に形成される圧縮室と突出ポートとを連通させる直前の状態で、圧縮室における吐出ポートから遠い側の端部と吐出室側とを連通させる位置に設ける。
【０００８】
本発明に係る他の横置きスクロール型圧縮機は、旋回スクロールと固定スクロールと吐出ポートとリリーフポートと吐出弁とリリーフ弁とを備える。旋回スクロールは、旋回渦巻片を有して旋回軸が重力方向と交差する横向きに配置される。固定スクロールは、吐出室側と吸入室側とを仕切る隔壁に旋回渦巻片と嵌り合う固定渦巻片を有してこの固定渦巻片の外周の巻終端が固定渦巻片の捲回中心よりも下側となる範囲に配置される。吐出ポートは、固定渦巻片の中央側の巻始端に囲われる位置に配置され吐出室に隔壁を貫通して連通する。リリーフポートは、旋回渦巻片の外周面と固定渦巻片の内周面との間に形成される圧縮室を吐出ポートに連通させる直前の状態となる旋回スクロールの旋回位置で旋回渦巻片の中央側の巻始端と固定渦巻片の内周面との接点から固定渦巻片に沿って一巻までの範囲に配置されて旋回渦巻片の外周面と固定渦巻片の内周面との間に形成される圧縮室を吐出室に隔壁を貫通して連通する。吐出弁は、吐出室側から吐出ポートに入る流れを阻止する。リリーフ弁は、吐出室側からリリーフポートに入る流れを阻止する。
【０００９】
横置きスクロール型圧縮機の部品点数を減らすために、吐出弁とリリーフ弁とは、リード部材及びリテーナをそれぞれ一体に形成する。また、取付けを簡素化するために、リード部材及びリテーナは、吐出ポートとリリーフポートとを横切る直線上でリリーフポート側の一端を隔壁に固定支持する。
【発明の効果】
【００１０】
本発明に係る横置きスクロール型圧縮機によれば、一方のスクロールに形成される渦巻片の外周の巻終端をこの渦巻片の捲回中心よりも上側に配置しており、このスクロールの渦巻片の巻始端から外周面側に沿って一巻の範囲にリリースポートを備えている。したがって、「寝込み」が生じている場合、吐出ポートに連通するまでの間に滞留する液状の冷媒で満たされるようになる圧縮室は、巻終端がその渦巻片の捲回中心よりも上側に配置されるスクロールの渦巻片の外周面ともう一方のスクロールの渦巻片の内周面との間に形成される圧縮室だけである。そして、この圧縮室が液状の冷媒で満たされる位置において、この圧縮室が吐出室側に連通される範囲となる１か所にリリーフポートを設けているので、渦巻片の破損を防止することができる。
【発明を実施するための最良の形態】
【００１１】
本発明に係る第１の実施形態の横置きスクロール型圧縮機１について、図１から図１１を参照して説明する。図１に示すように、横置きスクロール型圧縮機１は、ハウジング２と旋回スクロール３と固定スクロール４と旋回機構５と電動モータ６とを備えている。
【００１２】
ハウジング２は、横置きスクロール型圧縮機１の外殻を形成し、旋回スクロール３と固定スクロール４と電動モータ６とを収容している。ハウジング２は、旋回スクロール３及び固定スクロール４を収容するスクロール側ハウジング２ａと、電動モータ６を収容するモータ側ハウジング２ｂとに分割されている。スクロール側ハウジング２ａには、圧縮された圧力の高い作動流体を取り出す吐出口７が設けられている。モータ側ハウジング２ｂには、圧縮される圧力の低い作動流体を取り込む吸入口８が設けられている。作動流体には、不活性ガス、具体的にはガス状の冷媒Ｃが使用される。冷媒Ｃには、横置きスクロール型圧縮機１の内部の摩擦部を潤滑させるために、ミスト状の潤滑油が混入される。
【００１３】
スクロール側ハウジング２ａとモータ側ハウジング２ｂとの間には、プレート９が挟まれている。スクロール側ハウジング２ａとプレート９との合せ部、およびモータ側ハウジング２ｂとプレート９との合せ部には、シート面が形成され、Ｏリングあるいはガスケットといった密閉手段によってシールされる。プレート９の中央部には、電動モータ６の一端部を支持する軸受１０が取り付けられている。
【００１４】
旋回スクロール３は、旋回基板３ａと旋回渦巻片３ｂとを有し、旋回軸が重力方向に交差する横向きに配置されている。旋回渦巻片３ｂは、旋回基板３ａと一体に形成され、プレート９と反対側の方向に旋回基板３ａから立ち上がっている。旋回スクロール３は、旋回機構５によってプレート９に対する自転が阻止された状態で旋回軸を中心に旋回する。旋回方向は、旋回渦巻片３ｂの外周の巻終端３ｃからこの旋回渦巻片３ｂに沿って中央の巻始端３ｄに向かう方向、図２から図７に示す断面において時計回りである。
【００１５】
旋回機構５は、プレート９と旋回基板３ａとの間に設けられるオルダムリンク１１と、旋回軸と平行に設けられる旋回ピン１２と、旋回ピン１２が挿入されるピン孔１３が形成されたブッシュ１４と、旋回基板３ａに設けられてブッシュ１４が装着される凹部１５とで構成されている。旋回ピン１２は、旋回軸と平行に回転軸が配置される電動モータ６の回転シャフト６ａの端部６ｂに、この回転軸から偏心して取り付けられている。
【００１６】
固定スクロール４は、固定基板４ａと固定渦巻片４ｂと吐出ポート１６とリリーフポート１７とを備える。固定基板４ａは、スクロール側ハウジング２ａ内に固定されて吐出室１８側と吸入室１９側とを仕切る隔壁を兼ねている。固定渦巻片４ｂは、固定基板４ａと一体に設けられており、旋回渦巻片３ｂの間に入り込むように吸入室１９側に向かって立ち上がっている。固定渦巻片４ｂの外周の巻終端４ｃは、重力方向について固定渦巻片４ｂの捲回中心Ｓよりも上側となる範囲に配置されている。
【００１７】
旋回渦巻片３ｂの先端３ｅは、固定基板４ａに摺接し、固定渦巻片４ｂの先端４ｅは、旋回基板３ａに摺接する。旋回スクロール３と固定スクロール４との間には、旋回基板３ａと旋回渦巻片３ｂの外周面３ｆと固定基板４ａと固定渦巻片４ｂの内周面４ｇとで密閉される圧縮室２０ａと、旋回基板３ａと旋回渦巻片３ｂの内周面３ｇと固定基板４ａと固定渦巻片４ｂの外周面４ｆとで密閉される圧縮室２０ｂとが形成されている。
【００１８】
吐出ポート１６は、固定渦巻片４ｂの中央側の巻始端４ｄに囲われる位置に配置され、固定基板４ａである隔壁を貫通して吐出室１８側に連通している。リリーフポート１７は、圧縮室２０ａ，２０ｂのうち、旋回渦巻片３ｂの内周面３ｇと固定渦巻片４ｂの外周面４ｆとの接点Ｔ１が旋回スクロール３の旋回にともなって中心方向に移行して最後に離れる位置（最終接点）Ｐから固定渦巻片に沿って外周方向に一巻までの範囲に配置され、旋回渦巻片３ｂの内周面３ｇと固定渦巻片４ｂの外周面４ｆとの間に形成される圧縮室２０ｂを吐出室１８側に固定基板４ａを貫通して連通されている。つまり、リリーフポート１７は、固定渦巻片４ｂの巻始端４ｄから外周面４ｆ沿いに一巻までの範囲の１か所に固定基板４ａを貫通させて設ける。
【００１９】
この場合、旋回渦巻片３ｂと固定渦巻片４ｂとが接触する圧縮室２０ｂの両端およびその近傍において、リリーフポート１７は、旋回渦巻片３ｂで塞がれてしまうか、孔口が塞がれて開口面積が小さくなるので、リリーフポート１７の開口面積が充分に得られる程度、圧縮室２０ａの内側に寄った位置に設ける。また、旋回渦巻片３ｂを隔てて隣り合う圧縮室２０ａ，２０ｂ同士が連通しないように、リリーフポート１７の開口径Ｄ２は、旋回渦巻片３ｂの半径方向の板厚よりも小さくする。
【００２０】
吐出ポート１６およびリリーフポート１７の吐出室１８側には、吐出弁２１ａとリリーフ弁２１ｂとが一体に形成された逆止弁２１が取り付けられている。図９に示すように逆止弁２１は、リード部材２２と、リード部材２２の浮き上がりを押えるリテーナ２３とを備える。リード部材２２およびリテーナ２３は、図８に示すように吐出ポート１６とリリーフポート１７とを横切る直線上のリリーフポート１７側で固定基板４ａに一端が固定されている。リード部材２２は、吐出ポート１６とリリーフポート１７をそれぞれ個別に独立して塞ぐ吐出リード２２ａとリリーフリード２２ｂとを備える。
【００２１】
なお、吐出リード２２ａとリリーフリード２２ｂとは、それぞれ吐出ポート１６及びリリーフポート１７の大きさに応じて最適な寸法形状に適宜作られるものである。例えば、吐出ポート１６の開口径Ｄ１、リリーフポート１７の開口径Ｄ２、リード部材２２の固定端から吐出ポート１６までの距離Ｌ１、リード部材２２の固定端からリリーフポート１７までの距離Ｌ２、吐出リード２２ａの幅Ｗ１、リリーフリード２２ｂの幅Ｗ２、吐出リード２２ａの浮き上がり高さＨ１、リリーフリード２２ｂの浮き上がり高さＨ２とすると、Ｄ１＞Ｄ２、Ｈ１＞Ｈ２、Ｌ２／Ｌ１＞０．４、Ｗ２／Ｗ１＜０．８となるように寸法形状を決定すると好ましい。また、吐出ポート１６及びリリーフポート１７の吐出室１８側の孔口１６ａ，１７ａに面取りを施すと冷媒Ｃの通りがよくなる。
【００２２】
次に、以上のように構成された横置きスクロール型圧縮機１の動作について図２から図７に示すスクロール部分の断面図を用いて説明する。  
横置きスクロール型圧縮機１を使用しない状態が長期間続くと、吸入室１９側には図２に示すように、液化した冷媒Ｃが滞留される、いわゆる「寝込み」が生じる。図２に示す状態から横置きスクロール型圧縮機１を作動させると、図３から図７の順番に示すように、旋回スクロール３は、旋回渦巻片３ｂの内周面３ｇと固定渦巻片４ｂの外周面４ｆとの接点Ｔ１、及び旋回渦巻片３ｂの外周面３ｆと固定渦巻片４ｂの内周面４ｇとの接点Ｔ２で固定スクロール４に摺接しながら、図２から図７において時計回りに旋回する。
【００２３】
旋回スクロール３が回転すると、旋回スクロール３と固定スクロール４との間に形成される各圧縮室２０ａ，２０ｂに滞留していた液状の冷媒Ｃは、ガス状の冷媒Ｃとともに吐出ポート１６に向かって送られる。吐出ポート１６に近づくにつれて、ガス状の冷媒Ｃは、徐々に圧縮されて容積が減少していくが、液状の冷媒Ｃは、非圧縮性流体であるので圧縮されずに同じ容積のままである。
【００２４】
図２に示す状態において旋回渦巻片３ｂの外周面３ｆと固定渦巻片４ｂの内周面４ｇとの間に滞留する液状の冷媒Ｃの容積は、図４における吐出ポート１６に連通する直前の圧縮室２０ａの容積に比べて小さい。そのため、図３から図５に示すように圧縮室２０ａが吐出ポート１６に連通されるまでの間、圧縮室２０ａにガス状の冷媒Ｃが残っている。つまり、圧縮室２０ａが液状の冷媒Ｃで満たされて圧力が急激に変化することで生じる衝撃荷重が、旋回渦巻片３ｂ及び固定渦巻片４ｂに作用することがない。そして、旋回渦巻片３ｂの外周面３ｆと固定渦巻片４ｂの内周面４ｇとの間に滞留した液状の冷媒Ｃは、図１０に示すように、吐出ポート１６を通って吐出リード２２ａを押し上げ、吐出室１８側に排出される。
【００２５】
また、図２に示す状態において旋回渦巻片３ｂの内周面３ｇと固定渦巻片４ｂの外周面４ｆとの間に滞留する液状の冷媒Ｃの容積は、図７における吐出ポート１６に連通する直前の圧縮室２０ｂの容積に比べて充分に大きい。そのため、この圧縮室２０ｂは、図３から順に図７まで示すように吐出ポート１６に連通するまでの間に液状の冷媒Ｃによって満たされる。
【００２６】
この場合、リリーフポート１７が、旋回渦巻片３ｂの内周面３ｇと固定渦巻片４ｂの外周面４ｆとの接点Ｔ１が旋回スクロール３の旋回にともなって中心方向に移行して最後に離れる位置Ｐから固定渦巻片４ｂに沿って外周方向に一巻までの範囲において旋回渦巻片３ｂの内周面３ｇと固定渦巻片４ｂの外周面４ｆとの間に形成される圧縮室２０ｂを、吐出室１８側に連通させる位置に設けられている。つまり、図７に示すように、圧縮室２０ｂが液状の冷媒Ｃで満たされる段階では、リリーフポート１７が圧縮室２０ｂと連通されている。したがって、図７に示す状態からさらに旋回スクロール３が回転して圧縮室２０ｂが縮小すると、液状の冷媒Ｃは、図１１に示すように、リリーフポート１７を通ってリリーフリード２２ｂを押し上げ、吐出室１８側に排出される。その結果、圧縮室２０ｂ内の圧力が急激に上昇することによって生じる衝撃荷重が旋回渦巻片３ｂ及び固定渦巻片４ｂに作用することを防止することができる。
【００２７】
なお、第１の実施形態では、旋回スクロール３が図２における右に偏心した状態で長期間停止して液状の冷媒Ｃが滞留した（寝込みが生じた）状態から、運転を開始させた状態を一例に説明した。旋回スクロール３が下方に偏心した図３に示す状態で停止して寝込みが生じている場合は、上述した場合よりもより多くの液状の冷媒Ｃを圧縮室２０ｂに巻き込むことも考えられる。その場合は、図７で示した旋回スクロール３の位置になるよりも早い段階、たとえば図５から図６の間の状態、旋回スクロール３の旋回位置としては図３の状態と同程度の位置、で圧縮室２０ｂが液状の冷媒Ｃで満たされる。このような場合は、旋回渦巻片３ｂと固定渦巻片４ｂとが摺接する位置Ｐから固定渦巻片４ｂの巻始端４ｄの外周面４ｆに沿って一巻の範囲の中でも、巻始端４ｄから離れた位置にリリーフポート１７を配置しておくことで、液状の冷媒Ｃを吐出室１８側に排出し、圧縮室２０ｂ内の急激な圧力の上昇を防止することができる。
【００２８】
本発明に係る第２の実施形態の横置きスクロール型圧縮機１について図１２及び図１３を参照して説明する。なお、第１の実施形態と同じ機能を有する構成については同一の符号を付してその説明を省略する。
【００２９】
図１２に示すように、第２の実施形態においては、固定スクロール４に形成される固定渦巻片４ｂの外周の巻終端４ｃが、固定渦巻片４ｂの捲回中心Ｓよりも下に配置されている。リリーフポート１７は、旋回渦巻片３ｂの外周面３ｆ側に形成される圧縮室２０ａが吐出ポート１６に連通される直前の状態で旋回渦巻片３ｂの中央側の巻始端３ｄと固定渦巻片４ｂの内周面４ｇとの接点Ｑから固定渦巻片４ｂに沿って一巻までの範囲において、旋回渦巻片３ｂの外周面３ｆと固定渦巻片４ｂの内周面４ｇとの間に形成される圧縮室２０ａを吐出室１８に固定基板４ａを貫通して連通させる位置に設けられている。また、旋回渦巻片３ｂを隔てて隣り合う圧縮室２０ａ，２０ｂが連通しないように、リリーフポート１７の開口径Ｄ２は、旋回渦巻片３ｂの半径方向の厚さよりも小さくする。
【００３０】
以上のように構成された横置きスクロール型圧縮機１において、冷媒Ｃが吸入室１９側に滞留している状態、いわゆる「寝込み」が生じている場合、図１２に示すように旋回スクロール３が下方に偏心して停止している状態と、図１３に示すように旋回スクロール３が上方に偏心して停止している状態とが想定される。旋回スクロール３が下方に偏心して停止している図１２に示す状態では、液状の冷媒Ｃが、旋回渦巻片３ｂの内周面３ｇと固定渦巻片４ｂの外周面４ｆとの間に滞留している。旋回スクロール３が上方に偏心して停止している図１３に示す状態では、液状の冷媒Ｃが、旋回渦巻片３ｂの外周面３ｆと固定渦巻片４ｂの内周面４ｇとの間に滞留している。
【００３１】
なお、前述の２つの状態以外においては、旋回スクロール３の両側に液状の冷媒Ｃが滞留した状態となる。しかし、滞留する容積は、図１２及び図１３の状態においてそれぞれに滞留する液状の冷媒Ｃの容積が最も多くなるので、図１２及び図１３の状態をそれぞれ説明することで、これ以外の場合の説明を省略する。
【００３２】
図１２の状態で「寝込み」を生じた場合、吐出ポート１６の下方では、旋回渦巻片３ｂの外周面３ｆと固定渦巻片４ｂの内周面４ｇとが接触しており、これらの間には液状の冷媒Ｃがほとんど滞留していない。また、旋回渦巻片３ｂの内周面３ｇと固定渦巻片４ｂの外周面４ｆとの間には、液状の冷媒Ｃが溜まるが、吐出ポート１６に連通される直前の圧縮室２０ｂの容積よりも充分に小さい。したがって、横置きスクロール型圧縮機１を始動させても圧縮室２０ｂが吐出ポート１６に連通されるまでの間に液状の冷媒Ｃで満たされることがない。つまり、液状の冷媒Ｃは、吐出ポート１６から排出することができるので、旋回渦巻片３ｂの内周面３ｇと固定渦巻片４ｂの外周面４ｆとの間に形成される圧縮室２０ｂに連通するリリーフポート１７を備えていなくてもよい。
【００３３】
図１３の状態で「寝込み」を生じた場合、吐出ポート１６の下方では、旋回渦巻片３ｂの外周面３ｆと固定渦巻片４ｂの内周面４ｇとの間に液状の冷媒Ｃが滞留している。また、旋回渦巻片３ｂの内周面３ｇと固定渦巻片４ｂの外周面４ｆとは、互いに接触しており、これらの間には、液状の冷媒Ｃが滞留していない。この状態から横置きスクロール型圧縮機１を始動させると、旋回渦巻片３ｂの外周面３ｆと固定渦巻片４ｂの内周面４ｇとで形成される圧縮室２０ａは、吐出ポート１６に連通されるまでの間に液状の冷媒Ｃで満たされる。
【００３４】
この場合、リリーフポート１７が、旋回渦巻片３ｂの外周面３ｆ側に形成される圧縮室２０ａが吐出ポート１６に連通される直前の状態で旋回渦巻片３ｂの中央側の巻始端３ｄと固定渦巻片４ｂの内周面４ｇとの接点から固定渦巻片４ｂに沿って一巻までの範囲で、旋回渦巻片３ｂの外周面３ｆと固定渦巻片４ｂの内周面４ｇとの間に形成される圧縮室２０ａを、吐出室１８に固定基板４ａを貫通して連通する位置に設けられている。したがって、旋回渦巻片３ｂの外周面３ｆと固定渦巻片４ｂの内周面４ｇとの間に形成される圧縮室２０ａが液状の冷媒Ｃで満たされた状態からさらに旋回スクロール３が旋回し、圧縮室２０ａが縮小すると、液状の冷媒Ｃは、リリーフポート１７を通ってリリーフリード２２ｂを押し上げ、吐出室１８側に排出される。その結果、圧縮室２０ａ内の圧力が急激に上昇することによって生じる衝撃荷重で旋回渦巻片３ｂ及び固定渦巻片４ｂが破損してしまうことを防止することができる。
【００３５】
このように、横置きスクロール型圧縮機１は、固定スクロール４の固定渦巻片４ｂの巻終端４ｃが固定渦巻片４ｂの捲回中心Ｓよりも上方に配置される場合は、リリーフポート１７を旋回渦巻片３ｂの内周面３ｇと固定渦巻片４ｂの外周面４ｆとの間に形成される圧縮室２０ｂと連通する位置に設け、固定スクロール４の固定渦巻片４ｂの巻終端４ｃが固定渦巻片４ｂの捲回中心Ｓよりも下方に配置される場合は、リリーフポート１７を旋回渦巻片３ｂの外周面３ｆと固定渦巻片４ｂの内周面４ｇとの間に形成される圧縮室２０ａと連通する位置に設ける。
【００３６】
「寝込み」が生じている場合、滞留する液状の冷媒Ｃで満たされるようになる圧縮室は、一方の渦巻片の巻終端がその渦巻片の捲回中心よりも上側に配置されるスクロールの渦巻片の外周面ともう一方のスクロールの渦巻片の内周面との間に形成される圧縮室側だけである。したがって、この圧縮室が吐出室に連通されるまでの間に液状の冷媒で満たされる範囲となる１か所にリリーフポートを設けることによって、各スクロールの渦巻片の破損を防止することができる。
【００３７】
なお、第１及び第２の実施形態の横置きスクロール型圧縮機１において、旋回スクロール３が２回旋回することで、旋回スクロール３と固定スクロール４との間に滞留する液状の冷媒Ｃは、吐出室１８側に排出される。巻数がこれらの実施形態よりも多い場合は、液状の冷媒Ｃを排出するまでに要する旋回スクロール３の回転数もまた多くなる。また、旋回スクロール３の外側に滞留する液状の冷媒Ｃは、横置きスクロール型圧縮機１が引き続き運転されつづけることで徐々に気化され、横置きスクロール型圧縮機１から冷媒Ｃの循環系に排出されていく。
【図面の簡単な説明】
【００３８】
【図１】本発明に係る第１の実施形態の横置きスクロール型圧縮機を示す断面図。
【図２】図１中のＡ−Ａに沿って示すスクロール部分の断面図。
【図３】図１中のＡ−Ａに沿って示すスクロール部分の断面図。
【図４】図１中のＡ−Ａに沿って示すスクロール部分の断面図。
【図５】図１中のＡ−Ａに沿って示すスクロール部分の断面図。
【図６】図１中のＡ−Ａに沿って示すスクロール部分の断面図。
【図７】図１中のＡ−Ａに沿って示すスクロール部分の断面図。
【図８】図１の逆止弁を示す正面図。
【図９】図８中のＢ−Ｂに沿って示す逆止弁の断面図。
【図１０】図８中のＢ−Ｂに沿って示す逆止弁の断面図。
【図１１】図８中のＢ−Ｂに沿って示す逆止弁の断面図。
【図１２】本発明に係る第２の実施形態の横置きスクロール型圧縮機において、図１のＡ−Ａ断面に相当するスクロール部分の断面図。
【図１３】本発明に係る第２の実施形態の横置きスクロール型圧縮機において、図１のＡ−Ａ断面に相当するスクロール部分の断面図。
【符号の説明】
【００３９】
１…横置きスクロール型圧縮機、３…旋回スクロール、３ｂ…旋回渦巻片、３ｄ…巻始端、３ｆ…外周面、３ｇ…内周面、４…固定スクロール、４ａ…固定基板（隔壁）、４ｂ…固定渦巻片、４ｃ…巻終端、４ｄ…巻始端、４ｆ…外周面、４ｇ…内周面、１６…吐出ポート、１７…リリーフポート、１８…吐出室、１９…吸入室、２０ａ，２０ｂ…圧縮室、２１ａ…吐出弁、２１ｂ…リリーフ弁、２２…リード部材、２３…リテーナ、Ｓ…捲回中心、Ｐ…最後に離れる位置、Ｑ…旋回渦巻片の巻始端と固定渦巻片の内周面との接点、Ｔ１…旋回渦巻片の内周面と固定渦巻片の外周面との接点。
【図１】
0004672254.tif 000002
【図２】
0004672254.tif 000003
【図３】
0004672254.tif 000004
【図４】
0004672254.tif 000005
【図５】
0004672254.tif 000006
【図６】
0004672254.tif 000007
【図７】
0004672254.tif 000008
【図８】
0004672254.tif 000009
【図９】
0004672254.tif 000010
【図１０】
0004672254.tif 000011
【図１１】
0004672254.tif 000012
【図１２】
0004672254.tif 000013
【図１３】
0004672254.tif 000014